(57)【要約】本発明の実施例に係る車載システム１００は、携帯端末装置４０と車載装置５０とを連携させ、車載装置５０に接続されるガジェットディスプレイ６１Ｖ、６２Ｖにおける２つの表示領域に、携帯端末装置４０が出力する２つのウィジェットに関するアプリケーションソフトウェア情報を割り当てて表示する。また、アプリケーションソフトウェア情報の割り当ては、ウィジェット設定画面を表示する表示装置６を備えた携帯端末装置４０のタッチパネル３を通じて行われる。
2014038050.tif 000002
【特許請求の範囲】
【請求項１】
車載装置と携帯端末装置とを連携させる車載システムであり、
前記車載装置に接続される１又は複数の表示装置における複数の表示領域に、前記携帯端末装置が出力する複数のアプリケーションソフトウェア情報を割り当てて表示する、
車載システム。
【請求項２】
前記複数のアプリケーションソフトウェア情報の割り当ては、前記携帯端末装置の操作入力装置を通じて行われる、
請求項１に記載の車載システム。
【請求項３】
車載装置と携帯端末装置とを連携させる車載システムを構成する携帯端末装置であり、
前記車載装置に接続される１又は複数の表示装置における複数の表示領域に割り当てて表示される複数のアプリケーションソフトウェア情報を出力する、
携帯端末装置。
【請求項４】
車載装置と携帯端末装置とを連携させる車載システムを構成する車載装置であり、
前記携帯端末装置が出力する複数のアプリケーションソフトウェア情報が割り当てて表示される複数の表示領域を提供する１又は複数の表示装置に接続される、
車載装置。
【発明の詳細な説明】
【技術分野】
【０００１】
本発明は、携帯端末装置、携帯端末装置と連携する車載装置、及び、携帯端末装置と車載装置とを連携させる車載システムに関する。
【背景技術】
【０００２】
従来、データを提供する携帯端末装置と、その携帯端末装置と無線通信を行う車載装置とを含む無線通信システムが知られている（例えば、特許文献１参照。）。【０００３】
この無線通信システムの車載装置は、無線通信可能な距離に携帯端末装置が進入すると、携帯端末装置との間で無線通信を確立し、携帯端末装置から取得した画像データを車載ディスプレイに表示する。
【先行技術文献】
【特許文献】
【０００４】
【特許文献１】特開２０１０−１３０６６９号公報
【発明の概要】
【発明が解決しようとする課題】
【０００５】
しかしながら、特許文献１は、携帯端末装置上で実行される単一のアプリケーションソフトウェア（以下、「ＡＰＰ」とする。）が提供する画像を車載ディスプレイに表示することを開示するのみであり、携帯端末上で複数のＡＰＰが同時に実行される場合の処理については言及していない。【０００６】
上述の点に鑑み、本発明は、複数のＡＰＰが携帯端末装置で同時に実行される場合に、それら複数のＡＰＰに関する情報を車載の表示装置で視認できるように携帯端末装置と車載装置とを連携させる車載システム、並びに、その車載システムを構成する車載装置及び携帯端末装置を提供することを目的とする。
【課題を解決するための手段】
【０００７】
上述の目的を達成するために、本発明の実施例に係る車載システムは、車載装置と携帯端末装置とを連携させる車載システムであり、前記車載装置に接続される１又は複数の表示装置における複数の表示領域に、前記携帯端末装置が出力する複数のアプリケーションソフトウェア情報を割り当てて表示する。【０００８】
また、本発明の実施例に係る携帯端末装置は、車載装置と携帯端末装置とを連携させる車載システムを構成する携帯端末装置であり、前記車載装置に接続される１又は複数の表示装置における複数の表示領域に割り当てて表示される複数のアプリケーションソフトウェア情報を出力する。【０００９】
また、本発明の実施例に係る車載装置は、車載装置と携帯端末装置とを連携させる車載システムを構成する車載装置であり、前記携帯端末装置が出力する複数のアプリケーションソフトウェア情報が割り当てて表示される複数の表示領域を提供する１又は複数の表示装置に接続される。
【発明の効果】
【００１０】
上述の手段により、本発明は、複数のＡＰＰが携帯端末装置で同時に実行される場合に、それら複数のＡＰＰに関する情報を車載の表示装置で視認できるように携帯端末装置と車載装置とを連携させる車載システム、並びに、その車載システムを構成する車載装置及び携帯端末装置を提供することができる。
【図面の簡単な説明】
【００１１】
【図１】本発明の実施例に係る車載システムの構成例を示す機能ブロック図である。
【図２】図１の携帯端末装置の正面図である。
【図３】携帯端末装置がドックに装着された状態を示す図である。
【図４】ガジェット機器の状態及びウィジェット設定画面の状態の時間的推移を示す図である。
【図５】ガジェット機器の状態及びウィジェット設定画面の状態の時間的推移を示す図である。
【図６】連携処理の流れを示すフローチャートである。
【図７】設定情報変更処理の流れを示すフローチャートである。
【発明を実施するための形態】
【００１２】
以下、図面を参照しつつ、本発明を実施するための形態の説明を行う。
【００１３】
図１は、本発明の実施例に係る車載システム１００の構成例を示す機能ブロック図である。車載システム１００は、携帯端末装置４０と車載装置５０とを連携させるシステムであり、携帯端末装置４０及び車載装置５０を構成要素として含む。また、図２は、携帯端末装置４０の正面図である。本実施例では、車載システム１００は、携帯端末装置４０で動作するウィジェットに関する情報を、車載装置５０に接続された１又は複数のディスプレイにおける複数の表示領域に表示させる。
【００１４】
「ウィジェット」とは、携帯端末装置４０上で動作する小規模なアクセサリーＡＰＰである。ウィジェットは、例えば、新たな情報を定期的に取得して表示するＡＰＰであって、具体的には、株価情報、天気予報、標高、沿岸波浪予想等を表示するＡＰＰを含む。また、ウィジェットは、カレンダー、時刻等を表示するＡＰＰ、ウェブから取得した車両周辺の画像を順番に映し出すスライドショーＡＰＰ、運転操作情報に基づくエコ度を表示するＡＰＰ等を含む。なお、ウィジェットは、通信ネットワークを通じてダウンロードされてもよく、記録媒体に記録された状態で提供されてもよい。
【００１５】
携帯端末装置４０は、乗員が携帯する端末装置であり、例えば、携帯電話、スマートフォン、ＰＤＡ（Personal Digital Assistance）、携帯型ゲーム機、タブレット型コンピュータ等を含む。本実施例では、携帯端末装置４０は、スマートフォンであり、主に、制御装置１、情報取得装置２、タッチパネル３、通信装置４、記憶装置５、表示装置６、音声入力装置７、及び音声出力装置８を含む。
【００１６】
制御装置１は、携帯端末装置４０を制御する装置であり、本実施例では、ＣＰＵ（Central Processing Unit）、ＲＡＭ(Random Access Memory)、ＲＯＭ（Read Only Memory）等を備えたコンピュータである。制御装置１は、例えば、後述のウィジェット設定部１０に対応するプログラムをＲＯＭから読み出してＲＡＭに展開し、ウィジェット設定部１０に対応する処理をＣＰＵに実行させる。なお、ウィジェット設定部１０に対応するプログラムは、通信ネットワークを通じてダウンロードされてもよく、記録媒体に記録された状態で提供されてもよい。
【００１７】
情報取得装置２は、外部から情報を取得する装置であり、本実施例では、携帯電話回線、公衆無線ＬＡＮ等を利用するための無線通信装置である。
【００１８】
タッチパネル３は、携帯端末装置４０が搭載する操作入力装置の１つであり、例えば、表示装置６上に配置される、マルチタッチジェスチャ機能をサポートするマルチタッチ式のタッチパネルである。
【００１９】
通信装置４は、車載装置５０との間の通信を制御する装置である。本実施例では、通信装置４は、近距離無線通信（以下、「ＮＦＣ（Near Field Communication）」とする。）を介して、車載装置５０の通信装置４Ｖに接続される。なお、通信装置４と通信装置４Ｖとの間の通信には、Bluetooth（登録商標）、Wi-Fi（登録商標）等を利用した無線通信が用いられてもよく、ＵＳＢ（Universal Serial Bus）等を利用した有線通信が用いられてもよい。
【００２０】
本実施例では、通信装置４は、周期的に応答要求信号を発信する。通信装置４Ｖは、その応答要求信号を受信すると応答信号を通信装置４に返信する。そして、通信装置４は、その応答信号を受信すると通信装置４Ｖとの間で無線通信を確立する。なお、通信装置４Ｖが周期的に応答要求信号を発信してもよく、通信装置４及び通信装置４Ｖのそれぞれが周期的に応答要求信号を発信してもよい。この場合、通信装置４は、その応答要求信号を受信すると応答信号を通信装置４Ｖに返信する。そして、通信装置４Ｖは、その応答信号を受信すると通信装置４との間で無線通信を確立する。また、通信装置４は、通信装置４Ｖとの間で無線通信を確立したときに、無線通信が確立したことを知らせる制御信号を制御装置１に対して出力する。
【００２１】
記憶装置５は、各種情報を記憶する装置であり、例えば、フラッシュメモリ等の不揮発性の半導体メモリを含む。本実施例では、記憶装置５は、携帯端末装置４０上で実行されるＡＰＰ、ウィジェット等を記憶する。
【００２２】
表示装置６は、各種情報を表示する装置であり、例えば、液晶ディスプレイである。音声入力装置７は、音声を入力する装置であり、例えば、マイクである。音声出力装置８は、各種情報を音声出力する装置であり、例えば、スピーカである。
【００２３】
次に、車載装置５０について説明する。車載装置５０は、車両に搭載される装置であり、主に、制御装置１Ｖ、ガジェットカメラ２Ｖ、第１ガジェットディスプレイ６１Ｖ、及び第２ガジェットディスプレイ６２Ｖを含む。
【００２４】
制御装置１Ｖは、車載装置５０を制御する装置であり、本実施例では、ＣＰＵ、ＲＡＭ、ＲＯＭ等を備えたコンピュータである。制御装置１Ｖは、例えば、後述のガジェット制御部１１Ｖに対応するプログラムをＲＯＭから読み出してＲＡＭに展開し、ガジェット制御部１１Ｖに対応する処理をＣＰＵに実行させる。なお、ガジェット制御部１１Ｖに対応するプログラムは、通信ネットワークを通じてダウンロードされてもよく、記録媒体に記録された状態で提供されてもよい。
【００２５】
ガジェットカメラ２Ｖ、第１ガジェットディスプレイ６１Ｖ、及び第２ガジェットディスプレイ６２Ｖは、車載装置５０に接続されるガジェット機器である。「ガジェット機器」とは、操作者の好みに応じて選択的に車載装置５０に接続される機器である。具体的には、ガジェットカメラ２Ｖは、車室内を撮像するカメラであり、第１ガジェットディスプレイ６１Ｖ及び第２ガジェットディスプレイ６２Ｖは、小型の液晶ディスプレイである。車載装置５０には、照明装置、スピーカ等の他のガジェット機器が接続されてもよい。
【００２６】
また、ガジェットカメラ２Ｖ、第１ガジェットディスプレイ６１Ｖ、及び第２ガジェットディスプレイ６２Ｖは、本実施例では、インストルメントパネルに設置されたＵＳＢ（Universal Serial Bus）レセプタクルを介して車載装置５０に着脱可能に接続される。なお、ガジェットカメラ２Ｖ、第１ガジェットディスプレイ６１Ｖ、及び第２ガジェットディスプレイ６２Ｖは、ＤＶＩ(Digital Visual Interface)等、ＵＳＢ以外の他のインタフェースを介して車載装置５０に接続されてもよく、専用インタフェースを用いて取り外し不能に車載装置５０に接続されていてもよい。
【００２７】
ここで、携帯端末装置４０の制御装置１及び車載装置５０の制御装置１Ｖのそれぞれで動作する機能要素について説明する。
【００２８】
携帯端末装置４０の制御装置１におけるウィジェット設定部１０は、携帯端末装置４０で実行されるウィジェットを設定する機能要素である。本実施例では、ウィジェット設定部１０は、携帯端末装置４０と車載装置５０との間で無線通信が確立されたときに携帯端末装置４０で実行されるウィジェットに関する設定を行う。
【００２９】
ウィジェット設定部１０は、例えば、携帯端末装置４０と車載装置５０との間で無線通信が確立されたときに携帯端末装置４０の表示装置６にウィジェット設定画面を自動的に表示する。
【００３０】
操作者は、ウィジェット設定画面を見ながら、タッチパネル３を介した操作入力により、無線通信が確立されたときに実行されるウィジェットを選択することができる。なお、ウィジェット設定画面を用いて、無線通信が確立されたときに実行されるウィジェットを選択する方法についてはその詳細を後述する。
【００３１】
また、ウィジェット設定部１０は、例えば、携帯端末装置４０と車載装置５０との間で無線通信が確立されたときに、ＲＡＭ等に記憶されたウィジェット設定情報を取得する。ウィジェット設定情報は、ウィジェット設定画面を用いて設定されるウィジェットに関する情報であり、例えば、無線通信が確立したときに起動するウィジェットの優先順位等を含む。
【００３２】
また、ウィジェット設定部１０は、車載装置５０からガジェット機器設定情報を受信し、無線通信が確立したときに起動するウィジェットと、車載装置５０に接続されたガジェット機器とを対応付けてもよい。
【００３３】
車載装置５０の制御装置１Ｖにおけるガジェット制御部１１Ｖは、車載装置５０に接続されたガジェット機器を制御する機能要素である。本実施例では、ガジェット制御部１１Ｖは、例えば、携帯端末装置４０と車載装置５０との間で無線通信が確立されたときに、ＲＡＭ等に記憶されるガジェット機器設定情報を取得する。ガジェット機器設定情報は、車載装置５０に接続されたガジェット機器に関する情報であり、例えば、各ＵＳＢレセプタクルにおけるガジェット機器の接続の有無、接続されたガジェット機器の種類等を含む。車載装置５０は、起動の度に、ガジェット機器設定情報を更新してもよく、ガジェット機器が着脱される度に更新してもよい。
【００３４】
そして、ガジェット制御部１１Ｖは、携帯端末装置４０からウィジェット設定情報を受信し、ウィジェット設定情報とガジェット機器設定情報とに基づいてウィジェットとガジェット機器とを対応付ける。本実施例では、ガジェット制御部１１Ｖは、携帯端末装置４０で実行される優先順位が最も高いウィジェット（以下、「第１優先ウィジェット」とする。）を第１ガジェットディスプレイ６１Ｖに対応付ける。また、ガジェット制御部１１Ｖは、携帯端末装置４０で実行される優先順位が二番目に高いウィジェット（以下、「第２優先ウィジェット」とする。）を第２ガジェットディスプレイ６２Ｖに対応付ける。なお、ガジェット制御部１１Ｖは、ウィジェット設定情報においてウィジェットとガジェット機器との対応関係が設定されている場合には、その対応関係に応じて対応付けを行う。
【００３５】
なお、ガジェット制御部１１Ｖは、ウィジェット設定情報を送信する携帯端末装置４０の認証を行うようにしてもよい。例えば、ガジェット制御部１１Ｖは、ウィジェット設定情報を送信する携帯端末装置４０が車載装置５０に予め登録されたものであることを確認することによって携帯端末装置４０の認証を行うようにしてもよい。この場合、ガジェット制御部１１Ｖは、認証できない携帯端末装置４０からのウィジェット設定情報に基づく対応付けを禁止してもよい。
【００３６】
その後、ガジェット制御部１１Ｖは、第１優先ウィジェットから周期的に受信するアプリケーションソフトウェア情報（以下、「ＡＰＰ情報」とする。）を第１ガジェットディスプレイ６１Ｖに割り当てて転送し、第１ガジェットディスプレイ６１Ｖの表示を周期的に更新する。同様に、ガジェット制御部１１Ｖは、第２優先ウィジェットから周期的に受信するＡＰＰ情報を第２ガジェットディスプレイ６２Ｖに割り当てて転送し、第２ガジェットディスプレイ６２Ｖの表示を周期的に更新する。
【００３７】
「ＡＰＰ情報」とは、ウィジェットが出力する情報であり、例えば、ディスプレイで表示される画像を更新するために必要な情報を含む。なお、ディスプレイで表示される画像を更新するために必要な情報は、画像全体を更新するために必要な情報であってもよく、画像の一部を更新するために必要な情報であってもよい。
【００３８】
ここで、図３を参照しながら、複数のガジェットディスプレイが、対応するウィジェットに関するＡＰＰ情報を表示する様子について説明する。
【００３９】
図３は、携帯端末装置４０がドック３０に装着された状態を示す。具体的には、図３は、ドック３０を構成する左ガイド部３０Ｌ、右ガイド部３０Ｒによって携帯端末装置４０が所定位置に保持された状態を示す。左ガイド部３０Ｌ、右ガイド部３０Ｒは、例えば樹脂材料で形成される。望ましくは、左ガイド部３０Ｌ、右ガイド部３０Ｒは、ダッシュボードと同じ材料で形成される。なお、左ガイド部３０Ｌ、右ガイド部３０Ｒは、ダッシュボードと一体的に形成されてもよい。携帯端末装置４０は、その上端部及び下端部のそれぞれをドック３０の上方から左ガイド部３０Ｌ及び右ガイド部３０Ｒのそれぞれにおける内側ガイド溝（図示せず。）に沿ってスライドさせるようにしてドック３０に装着される。また、携帯端末装置４０は、タッチパネル３及び表示装置６を運転者側に向けた状態でドック３０に保持される。この構成により、運転者は、例えば、ステアリングホイール７０を握る手を延ばしてタッチパネル３に対する操作入力を行うことができる。
【００４０】
ウィジェット設定部１０は、携帯端末装置４０がドック３０内に装着され、携帯端末装置４０と車載装置５０との間で無線通信が確立されると、車載装置５０のガジェット制御部１１Ｖに対してウィジェット設定情報を出力する。
【００４１】
ガジェット制御部１１Ｖは、受信したウィジェット設定情報に基づいて、ウィジェットとガジェット機器とを対応付ける。本実施例では、ガジェット制御部１１Ｖは、第１優先ウィジェットとしての時刻表示ＡＰＰを第１ガジェットディスプレイ６１Ｖに対応付け、第２優先ウィジェットとしての天気予報ＡＰＰを第２ガジェットディスプレイ６２Ｖに対応付ける。
【００４２】
また、図３は、携帯端末装置４０の表示装置６にウィジェット設定画面が表示され、第１ガジェットディスプレイ６１Ｖに時刻表示ＡＰＰに関するＡＰＰ情報が表示され、第２ガジェットディスプレイ６２Ｖに天気予報ＡＰＰに関するＡＰＰ情報が表示された状態を示す。
【００４３】
次に、図４を参照しながら、ウィジェット設定画面を用いて、無線通信が確立されたときに実行されるウィジェットを選択する方法について説明する。
【００４４】
図４は、ガジェット機器の状態及びウィジェット設定画面の状態の時間的推移を上段、中段、下段の３段階で示し、各段の左図にガジェット機器の状態を示し、各段の右図にウィジェット設定画面の状態を示す。
【００４５】
図４の上段右図に示すように、ウィジェット設定画面は、無線通信が確立されたときに実行されるウィジェットを表すウィジェットアイコンＡ１、Ａ２を含む領域Ｒ１と、領域Ｒ１以外の領域Ｒ２とを有する。領域Ｒ２は、現時点では無線通信が確立されたときに実行されるようには設定されていないが、実行されるように設定することが可能であるウィジェットを表すウィジェットアイコンＡ３、Ａ４を含む。また、領域Ｒ１は、車載装置５０に接続されたガジェット機器を表すガジェット機器アイコンＧ１〜Ｇ３を含む。なお、ウィジェットアイコンＡ１、Ａ２、Ａ３、Ａ４は、それぞれ、第１ウィジェット、第２ウィジェット、第３ウィジェット、第４ウィジェットに対応する。また、ガジェット機器アイコンＧ１、Ｇ２、Ｇ３は、それぞれ、第１ガジェットディスプレイ６１Ｖ、第２ガジェットディスプレイ６２Ｖ、ガジェットカメラ２Ｖに対応する。なお、本実施例では、ガジェット機器アイコンＧ１、Ｇ２、Ｇ３の形状及び配置は、車載装置５０に実際に接続されているガジェット機器の形状及び配置に基づいて決定される。
【００４６】
また、図４の上段右図は、ウィジェット設定画面において、第１ウィジェットが第１ガジェットディスプレイ６１Ｖに対応付けられ、第２ウィジェットが第２ガジェットディスプレイ６２Ｖに対応付けられた状態を示す。また、図４の上段左図は、第１ウィジェットに関するＡＰＰ情報が第１ガジェットディスプレイ６１Ｖに表示され、第２ウィジェットに関するＡＰＰ情報が第２ガジェットディスプレイ６２Ｖに表示された状態を示す。
【００４７】
また、図４の中段右図に示すように、領域Ｒ２にある、第４ウィジェットに対応するウィジェットアイコンＡ４が領域Ｒ１までドラッグ操作され、且つ、領域Ｒ１のガジェット機器アイコンＧ２の位置でドロップ操作された後の状態を図４下段に示す。なお、図４の中段左図は、上述のようなドラッグ操作及びドロップ操作の途中では、第１ガジェットディスプレイ６１Ｖ及び第２ガジェットディスプレイ６２Ｖの状態に変化がないことを示す。
【００４８】
図４の下段右図において、ウィジェット設定画面は、第２ウィジェットの代わりに第４ウィジェットが第２ガジェットディスプレイ６２Ｖに対応付けられた状態を示す。また、図４の下段左図は、第２ウィジェットに関するＡＰＰ情報を表示していた第２ガジェットディスプレイ６２Ｖに第４ウィジェットに関するＡＰＰ情報が新たに表示された状態を示す。
【００４９】
このように、操作者は、ウィジェット設定画面を通じて、第１ガジェットディスプレイ６１Ｖ及び第２ガジェットディスプレイ６２Ｖのそれぞれに対応付けられるウィジェットを変更し、その変更をリアルタイムに反映させることができる。
【００５０】
また、ウィジェット設定画面は、実際のガジェット機器の形状に対応する形状を有するガジェット機器アイコンを、実際のガジェット機器の配置に対応する配置で表示する。そのため、操作者は、対応表又はリスト表示等を用いてウィジェットとガジェット機器とを対応付ける場合に比べ、より直感的にウィジェットとガジェット機器とを対応付けることができる。
【００５１】
また、操作者は、ウィジェット設定画面を通じ、ウィジェットとガジェット機器との対応付けを一括して行うことができ、ガジェット機器毎にハードウェア設定を調整する必要もない。
【００５２】
なお、上述の実施例において、操作者は、領域Ｒ１にあるウィジェットアイコンと領域Ｒ２にあるウィジェットアイコンとを入れ換えるが、領域Ｒ１にある２つのウィジェットアイコンの位置を入れ換えてもよい。例えば、操作者は、ガジェット機器アイコンＧ１に対応付けられたウィジェットアイコンＡ１とガジェット機器アイコンＧ２に対応付けられたウィジェットアイコンＡ２とを入れ換えてもよい。この場合、ウィジェットアイコンＡ１がガジェット機器アイコンＧ２に対応付けられ、且つ、ウィジェットアイコンＡ２がガジェット機器アイコンＧ１に対応付けられる。
【００５３】
また、操作者は、ウィジェットとガジェット機器との対応付けを行った後、ウィジェット設定画面を閉じ、ナビゲーションＡＰＰ等の別のＡＰＰに関する画面を表示装置６に表示させることができる。その結果、操作者は、第１ガジェットディスプレイ６１Ｖ及び第２ガジェットディスプレイ６２Ｖでウィジェットに関するＡＰＰ情報を視認しながら、表示装置６でナビゲーションＡＰＰ等の別のＡＰＰに関する画面を視認できる。
【００５４】
次に、図５を参照しながら、ウィジェット設定画面を用いて、無線通信が確立されたときに実行されるウィジェットを選択する別の方法について説明する。
【００５５】
図５は、図４と同様、ガジェット機器の状態及びウィジェット設定画面の状態の時間的推移を上段、中段、下段の３段階で示し、各段の左図にガジェット機器の状態を示し、各段の右図にウィジェット設定画面の状態を示す。
【００５６】
図５の上段右図に示すように、ウィジェット設定画面は、無線通信が確立されたときに実行されるウィジェットを表すウィジェットアイコンＡ１、Ａ２、Ａ４を含む領域Ｒ１Ａと、領域Ｒ１Ａ以外の領域Ｒ２とを有する。領域Ｒ２は、現時点では無線通信が確立されたときに実行されるようには設定されていないが、実行されるように設定することが可能であるウィジェットを表すウィジェットアイコンＡ３を含む。また、領域Ｒ１Ａの一部である領域Ｒ１は、車載装置５０に接続されたガジェット機器を表すガジェット機器アイコンＧ１〜Ｇ３を含む。また、領域Ｒ１Ａの一部である領域Ｒ３は、無線通信が確立されたときに実行されるウィジェットではあるが、対応付けられるガジェット機器が存在しないウィジェットを表すウィジェットアイコンＡ４を含む。なお、ウィジェットアイコンＡ１、Ａ２、Ａ３、Ａ４はそれぞれ、第１ウィジェット、第２ウィジェット、第３ウィジェット、第４ウィジェットに対応する。また、ガジェット機器アイコンＧ１、Ｇ２、Ｇ３はそれぞれ、第１ガジェットディスプレイ６１Ｖ、第２ガジェットディスプレイ６２Ｖ、ガジェットカメラ２Ｖに対応する。
【００５７】
また、図５の上段右図は、ウィジェット設定画面において、第１ウィジェットが第１ガジェットディスプレイ６１Ｖに対応付けられ、第２ウィジェットが第２ガジェットディスプレイ６２Ｖに対応付けられた状態を示す。また、図５の上段左図は、第１ウィジェットに関するＡＰＰ情報が第１ガジェットディスプレイ６１Ｖに表示され、第２ウィジェットに関するＡＰＰ情報が第２ガジェットディスプレイ６２Ｖに表示された状態を示す。
【００５８】
また、図５の中段右図に示すように、領域Ｒ１にある、第２ウィジェットに対応するウィジェットアイコンＡ２が領域Ｒ２までドラッグ操作され、且つ、領域Ｒ２内でドロップ操作された後の状態を図５下段に示す。なお、図５の中段左図は、上述のようなドラッグ操作及びドロップ操作の途中では、第１ガジェットディスプレイ６１Ｖ及び第２ガジェットディスプレイ６２Ｖの状態に変化がないことを示す。
【００５９】
図５の下段右図において、ウィジェット設定画面は、第２ウィジェットの代わりに第４ウィジェットが第２ガジェットディスプレイ６２Ｖに対応付けられた状態を示す。また、図５の下段左図は、第２ウィジェットに関するＡＰＰ情報を表示していた第２ガジェットディスプレイ６２Ｖに第４ウィジェットに関するＡＰＰ情報が新たに表示された状態を示す。
【００６０】
このように、操作者は、無線通信が確立されたときに実行されるウィジェットの数が、車載装置５０に接続されているガジェット機器の数より多い場合であっても、ウィジェット設定画面を通じて、第１ガジェットディスプレイ６１Ｖ及び第２ガジェットディスプレイ６２Ｖに対応付けられるウィジェットを変更し、その変更をリアルタイムに反映させることができる。
【００６１】
これは、車載システム１００が、複数の車両のそれぞれに搭載される複数の車載装置５０のそれぞれと１つの携帯端末装置４０とを連携できることを意味する。すなわち、別々のガジェット機器設定情報を有する複数の車載装置５０のそれぞれと１つのウィジェット設定情報を有する１つの携帯端末装置４０とを連携できることを意味する。
【００６２】
また、車載システム１００が、１つの車載装置５０と複数の携帯端末装置４０のそれぞれとを連携できることを意味する。すなわち、１つのガジェット機器設定情報を有する１つの車載装置５０と、別々のウィジェット設定情報を有する複数の携帯端末装置４０のそれぞれとを連携できることを意味する。
【００６３】
また、上述の実施例では、携帯端末装置４０と車載装置５０との間で無線通信が確立されたときにウィジェット設定画面が表示装置６に自動的に表示される。しかしながら、本発明はこれに限定されるものではない。例えば、ウィジェット設定画面は、無線通信が確立される前であっても、携帯端末装置４０に対する所定の操作入力が行われた場合に表示装置６上に表示されてもよい。この場合、ウィジェット設定画面は、ガジェット機器設定情報を利用できないため、領域Ｒ１及びガジェット機器アイコンを表示しない。そのため、無線通信が確立されたときに実行されるウィジェットは領域Ｒ３に表示される。
【００６４】
次に図６を参照しながら、車載システム１００が、携帯端末装置４０と車載装置５０とを連携させる処理（以下、「連携処理」とする。）について説明する。なお、図６は、連携処理の流れを示すフローチャートであり、車載システム１００は、所定周期で繰り返しこの連携処理を実行する。
【００６５】
最初に、車載システム１００は、携帯端末装置４０と車載装置５０との間で無線通信が確立されたか否かを判定する（ステップＳ１）。なお、無線通信が確立されたか否かの判定は、携帯端末装置４０及び車載装置５０の何れで行われてもよい。
【００６６】
無線通信が確立されていないと判定した場合（ステップＳ１のＮＯ）、車載システム１００は、無線通信が確立されたと判定するまでそのまま待機する。
【００６７】
無線通信が確立されたと判定した場合（ステップＳ１のＹＥＳ）、車載システム１００は、ウィジェット設定情報及びガジェット機器設定情報を取得する（ステップＳ２）。
【００６８】
本実施例では、車載システム１００は、携帯端末装置４０が制御装置１のＲＡＭ等からウィジェット設定情報を読み出し、且つ、車載装置５０が制御装置１ＶのＲＡＭ等からガジェット機器設定情報を読み出すようにする。
【００６９】
その後、車載システム１００は、携帯端末装置４０で実行されるウィジェットと車載装置５０に接続されたガジェット機器とを対応付ける（ステップＳ３）。
【００７０】
本実施例では、車載システム１００は、ウィジェット設定情報とガジェット機器設定情報とに基づいてウィジェットとガジェット機器とを対応付ける。具体的には、車載システム１００は、携帯端末装置４０がウィジェット設定情報を車載装置５０に転送し、車載装置５０がウィジェット設定情報とガジェット機器設定情報とに基づいてウィジェットとガジェット機器とを対応付けるようにする。
【００７１】
また、車載システム１００は、ウィジェット設定画面が自動的に表示装置６に表示されるようにしてもよい。操作者によるウィジェット設定情報の変更又は確認を促すためである。
【００７２】
また、本実施例では、車載システム１００は、複数のウィジェットと複数のガジェットディスプレイとを一対一で対応付ける。しかしながら、本発明はこれに限定されるものではない。例えば、車載システム１００は、複数のウィジェットを１つのガジェットディスプレイに対応付けてもよい。この場合、１つのガジェットディスプレイの表示領域は、複数の表示領域に分割される。また、ウィジェット設定画面は、１つのガジェット機器アイコンと複数のウィジェットアイコンとの対応付けを可能にする。
【００７３】
また、車載システム１００は、１つのウィジェットを複数のガジェットディスプレイに対応付けてもよい。この場合、１つのウィジェットに関するＡＰＰ情報が複数のガジェットディスプレイで表示される。また、ウィジェット設定画面は、複数のガジェット機器アイコンと１つのウィジェットアイコンとの対応付けを可能にする。
【００７４】
また、車載システム１００は、ガジェットディスプレイのような任意付加的なディスプレイの表示領域ばかりでなく、車載装置５０に接続されるメインディスプレイ（図示せず。）の表示領域をも利用して、複数のウィジェットと複数の表示領域とを対応付けてもよい。この場合、車載システム１００は、ガジェットディスプレイの表示領域を複数の表示領域に分割してもよく、メインディスプレイの表示領域を複数の表示領域に分割してもよい。
【００７５】
次に、図７を参照しながら、操作者が、ウィジェット設定画面を通じてウィジェット設定情報を変更する処理（以下、「設定情報変更処理」とする。）について説明する。なお、図７は、設定情報変更処理の流れを示すフローチャートである。車載システム１００は、ウィジェット設定画面を表示装置６に自動的に表示するための条件が満たされる度に、或いは、ウィジェット設定画面を表示装置６に表示するための操作入力が行われる度にこの設定情報変更処理を実行する。
【００７６】
最初に、車載システム１００は、ウィジェット設定情報及びガジェット機器設定情報を取得する（ステップＳ１１）。
【００７７】
本実施例では、車載システム１００は、携帯端末装置４０が制御装置１のＲＡＭ等からウィジェット設定情報を読み出し、且つ、車載装置５０が制御装置１ＶのＲＡＭ等からガジェット機器設定情報を読み出すようにする。
【００７８】
その後、車載システム１００は、ウィジェット設定画面を表示する（ステップＳ１２）。本実施例では、車載システム１００の携帯端末装置４０は、図４の上段右図に示すように、ウィジェット設定情報とガジェット機器設定情報とに基づいてウィジェット設定画面を生成する。具体的には、携帯端末装置４０は、車載装置５０に接続されたガジェット機器を表すガジェット機器アイコンと、無線通信が確立されたときに携帯端末装置４０で実行されるウィジェットを表すウィジェットアイコンとを領域Ｒ１に表示する。また、携帯端末装置４０は、現時点では無線通信が確立されたときに実行されるようには設定されていないが、実行されるように設定することが可能であるウィジェットを表すウィジェットアイコンを領域Ｒ２に表示する。
【００７９】
その後、車載システム１００は、ウィジェット設定情報が変更されたか否かを判定する（ステップＳ１３）。本実施例では、車載システム１００の携帯端末装置４０は、図４の中段右図に示すような操作入力が行われたか否かを判定する。
【００８０】
ウィジェット設定情報が変更されたと判定した場合（ステップＳ１３のＹＥＳ）、車載システム１００は、変更後のウィジェット設定情報とガジェット機器設定情報とに基づいてウィジェットとガジェット機器とを対応付ける（ステップＳ１４）。
【００８１】
その後、車載システム１００は、ウィジェット設定画面が閉じられたか否かを判定する（ステップＳ１５）。具体的には、車載システム１００の携帯端末装置４０は、ウィジェット設定画面を自動的に閉じるための条件が満たされた否か、或いは、ウィジェット設定画面を閉じるための操作入力が行われたか否かを判定する。
【００８２】
ウィジェット設定画面が閉じられていないと判定した場合（ステップＳ１５のＮＯ）、車載システム１００は、ステップＳ１３以降の処理を再び実行する。
【００８３】
また、ステップＳ１３においてウィジェット設定情報が変更されていないと判定した場合（ステップＳ１３のＮＯ）、車載システム１００は、ウィジェットとガジェット機器との新たな対応付けを行うことなく、ウィジェット設定画面が閉じられたか否かを判定する（ステップＳ１５）。
【００８４】
ステップＳ１５において、ウィジェット設定画面が閉じられたと判定した場合（ステップＳ１５のＹＥＳ）、車載システム１００は、今回の設定情報変更処理を終了する。
【００８５】
以上の構成により、車載システム１００は、複数のウィジェットが携帯端末装置４０で同時に実行される場合に、それら複数のウィジェットに関するＡＰＰ情報を複数の表示領域で視認できるように携帯端末装置４０と車載装置５０とを連携させることができる。
【００８６】
また、操作者は、ウィジェット設定画面を表示する表示装置６を備えた携帯端末装置４０のタッチパネル３を用いて、所望のウィジェットを所望のガジェットディスプレイに割り当てることができる。
【００８７】
以上、本発明の好ましい実施例について詳説したが、本発明は、上述した実施例に制限されることはなく、本発明の範囲を逸脱することなく、上述した実施例に種々の変形及び置換を加えることができる。
【００８８】
例えば、上述の実施例において、ガジェット制御部１１Ｖは、車載装置５０の制御装置１Ｖ上で動作するが、携帯端末装置４０の制御装置１上で動作するようにしてもよい。
【００８９】
また、上述の実施例では、携帯端末装置４０は、ドック３０に装着された場合に、携帯端末装置４０と車載装置５０との間で無線通信を確立する。しかしながら、本発明はこれに限定されるものではない。例えば、携帯端末装置４０は、運転席の周囲の所定領域に進入した場合に携帯端末装置４０と車載装置５０との間で無線通信を確立してもよい。
【符号の説明】
【００９０】
１・・・制御装置  ２・・・情報取得装置  ２Ｖ・・・ガジェットカメラ  ３・・・タッチパネル  ４、４Ｖ・・・通信装置  ５・・・記憶装置  ６・・・表示装置  ７・・・音声入力装置  ８・・・音声出力装置  １０・・・ウィジェット設定部  １１Ｖ・・・ガジェット制御部  ３０・・・ドック  ３０Ｌ・・・左ガイド部  ３０Ｒ・・・右ガイド部  ４０・・・携帯端末装置  ５０・・・車載装置  ６１Ｖ・・・第１ガジェットディスプレイ  ６２Ｖ・・・第２ガジェットディスプレイ  ７０・・・ステアリング  １００・・・車載システム
【図１】
2014038050.tif 000003
【図２】
2014038050.tif 000004
【図３】
2014038050.tif 000005
【図４】
2014038050.tif 000006
【図５】
2014038050.tif 000007
【図６】
2014038050.tif 000008
【図７】
2014038050.tif 000009
【手続補正書】
【提出日】平成25年7月17日(2013.7.17)
【手続補正１】
【補正対象書類名】特許請求の範囲
【補正対象項目名】全文
【補正方法】変更
【補正の内容】
【特許請求の範囲】
【請求項１】
車載装置と携帯端末装置とを連携させる車載システムであり、
前記車載装置に接続される１又は複数の表示装置における複数の表示領域に、前記携帯端末装置が出力する複数のアプリケーションソフトウェア情報を割り当てて表示する車載システムであって、
前記携帯端末装置は操作入力可能な状態にあり、
前記車載装置に接続される１又は複数の表示装置は、前記携帯端末装置の表示装置と共に視認できるように配置される、
車載システム。
【請求項２】
前記複数のアプリケーションソフトウェア情報の割り当ては、前記携帯端末装置の操作入力装置を通じて行われ、
前記操作入力装置は、前記携帯端末装置の表示装置上に配置されるタッチパネルであり、
前記複数のアプリケーションソフトウェア情報は、前記携帯端末装置上で動作するウィジェットが出力する情報であり、
前記携帯端末装置の表示装置は、前記ウィジェットが出力する情報とは別のアプリケーションソフトウェア情報を表示する、
請求項１に記載の車載システム。
【請求項３】
車載装置と携帯端末装置とを連携させる車載システムを構成する携帯端末装置であり、
前記車載装置に接続される１又は複数の表示装置における複数の表示領域に割り当てて表示される複数のアプリケーションソフトウェア情報を出力する携帯端末装置であって、
前記携帯端末装置は操作入力可能な状態にあり、
前記車載装置に接続される１又は複数の表示装置は、前記携帯端末装置の表示装置と共に視認できるように配置される、
携帯端末装置。
【請求項４】
車載装置と携帯端末装置とを連携させる車載システムを構成する車載装置であり、
前記携帯端末装置が出力する複数のアプリケーションソフトウェア情報が割り当てて表示される複数の表示領域を提供する１又は複数の表示装置に接続される車載装置であって、
前記携帯端末装置は操作入力可能な状態にあり、
前記車載装置に接続される１又は複数の表示装置は、前記携帯端末装置の表示装置と共に視認できるように配置される、
車載装置。
【手続補正書】
【提出日】平成28年1月12日(2016.1.12)
【手続補正１】
【補正対象書類名】特許請求の範囲
【補正対象項目名】全文
【補正方法】変更
【補正の内容】
【特許請求の範囲】
【請求項１】
車載装置と携帯端末装置とを連携させる車載システムであり、
前記車載装置に接続される１又は複数の表示装置における複数の表示領域に、前記携帯端末装置が出力する複数のアプリケーションソフトウェア情報を割り当てて表示する車載システムであって、
前記携帯端末装置は操作入力可能な状態にあり、
前記複数のアプリケーションソフトウェア情報は、前記携帯端末装置上で動作する複数のアプリケーションソフトウェアが出力する情報であり、
前記携帯端末装置上で動作する複数のアプリケーションソフトウェアは、前記携帯端末装置の操作入力装置を通じて選択されて前記複数の表示領域に変更可能に対応付けられる、
車載システム。
【請求項２】
前記操作入力装置は、前記携帯端末装置の表示装置上に配置されるタッチパネルであり、
前記複数のアプリケーションソフトウェア情報は、前記携帯端末装置上で動作するウィジェットが出力する情報であり、
前記携帯端末装置の表示装置は、前記ウィジェットが出力する情報とは別のアプリケーションソフトウェア情報を表示する、
請求項１に記載の車載システム。
【請求項３】
車載装置と携帯端末装置とを連携させる車載システムを構成する携帯端末装置であり、
前記車載装置に接続される１又は複数の表示装置における複数の表示領域に割り当てて表示される複数のアプリケーションソフトウェア情報を出力する携帯端末装置であって、
前記携帯端末装置は操作入力可能な状態にあり、
前記複数のアプリケーションソフトウェア情報は、前記携帯端末装置上で動作する複数のアプリケーションソフトウェアが出力する情報であり、
前記携帯端末装置上で動作する複数のアプリケーションソフトウェアは、前記携帯端末装置の操作入力装置を通じて選択されて前記複数の表示領域に変更可能に対応付けられる、
携帯端末装置。
【請求項４】
車載装置と携帯端末装置とを連携させる車載システムを構成する車載装置であり、
前記携帯端末装置が出力する複数のアプリケーションソフトウェア情報が割り当てて表示される複数の表示領域を提供する１又は複数の表示装置に接続される車載装置であって、
前記携帯端末装置は操作入力可能な状態にあり、
前記複数のアプリケーションソフトウェア情報は、前記携帯端末装置上で動作する複数のアプリケーションソフトウェアが出力する情報であり、
前記携帯端末装置上で動作する複数のアプリケーションソフトウェアは、前記携帯端末装置の操作入力装置を通じて選択されて前記複数の表示領域に変更可能に対応付けられる、
車載装置。
【国際調査報告】
2014038050.tif 000010
2014038050.tif 000011